(57)【特許請求の範囲】
【請求項１】
回転軸の先端とスプール軸の後端をスラスト式ユニバーサルジョイントで接続し、傾斜部を有する傾斜カムの軸孔に回転軸を嵌め合わせると共に前記スラスト式ユニバーサルジョイントを介して接続したスプール軸にスプールを組み合わせ、前記傾斜カムの傾斜部にスラスト式ユニバーサルジョイントの後端部を接して、ハンドル軸の回転と共に回転軸と傾斜カムが回転することによりスプールも回転し、スプールは首を振って道糸を巻き取ることを特徴とするスピニング首振り巻き取り方法。
【請求項２】
ハンドル軸の回転力を歯車を介して回転軸及び回転軸に設けた傾斜カムに伝達し、該回転軸の先端とスプール軸の後端をスラスト式ユニバーサルジョイントで接続し、前記傾斜カムの軸孔に回転軸を嵌め合わせると共に前記スラスト式ユニバーサルジョイントを介して接続したスプール軸にスプールを組み合わせ、前記の傾斜カムの傾斜部にスラスト式ユニバーサルジョイントの後端部を接して、ハンドル軸の回転と共に回転軸と傾斜カムが回転することによりスプールも回転し、スプールは首を振って道糸を巻き取ることを特徴とするスピニング首振り巻き取り装置。
【請求項３】
ハンドル軸には回転軸歯車に噛合して回転軸を回転する外歯と傾斜カム軸歯車に噛合して傾斜カムを回転する内歯を設け、外歯に噛合する回転軸歯車を回転軸に設け、該回転軸の先端とスプール軸の後端をスラスト式ユニバーサルジョイントで接続し、前記傾斜カムの軸孔に回転軸を嵌め合わせる共に前記スラスト式ユニバーサルジョイントを介して接続したスプール軸にスプールを組み合わせ、前記の傾斜部を有する傾斜カムに設けた傾斜カム軸歯車に前記内歯を噛合させて回転する傾斜カムの傾斜部にスラスト式ユニバーサルジョイントの後端部を接して回転し、スプールは首を振って道糸を巻き取ることを特徴とする請求項２に記載のスピニング首振り巻き取り装置。
【発明の詳細な説明】
【０００１】
【発明の属する技術分野】
本発明に係るスピニング首振り巻き取り方法及び装置は、スプールを首振りさせて道糸をスプールに巻き取る方法を提案し及びその装置を備えるリールを提供しようとするものである。
【０００２】
【従来の技術】
従来の技術は、スピニングリールの場合スプールの周囲に道糸を案内する道糸ガイド枠を回転させて、スプールに道糸を巻き付けるものである。このスピニングリールを用いて投げ釣りする場合、スプールから道糸を繰り出す際に、道糸ガイド枠を外して、スプールは回転する事なく道糸が解けて道糸の繰り出しを引き戻すように作用するものではないから、スプールから道糸が解ける際の抵抗が少ないため仕掛けを遠投させることが容易である。しかしながら、スピニングリールの構造は複雑になり、部品数が多くなるため製品は高価になる欠点がある。
【０００３】
両袖の軸受を有するリールの場合には、道糸を放出する場合にスプールの回転を緩めて道糸が出て行き易くして道糸を放出するので、スプールの回転に抵抗が生じ、仕掛けを遠くまで投げ入れる遠投に適さないが道糸を巻き取る場合には巻き取り容易である。両袖式リールは、巻き取り容易な頑丈なリールであるからトローリングのような流し釣で大物を狙う場合に向いている。
【０００４】
【発明が解決しようとする課題】
本発明は、スプールの首を振り道糸を巻き取る方法により、巻き取り容易であり、スプールは回転しなくてもスプールから道糸を容易に放出し遠投が出来る簡単な構造のリールを提供しようとするものである。
【０００５】
【課題を解決するための手段】
本発明は、リール構造をスプールを首振り巻き取りが出来るよう回転軸とスプール軸をスラスト式ユニバーサルジョイントで接続し、回転軸に設ける傾斜カムをハンドル軸の回転により回転するよう歯車を構成して、スプール軸に設けたスプールを首振り道糸を巻き取る方法及び装置により、遠投が出来て構造が簡単なリールを提供する。
【０００６】
本発明の方法は、ハンドル軸に設けた歯車とこれに噛合する回転軸歯車を介して回転力を回転軸に伝達し、回転軸の先端とスプール軸の後端をスラスト式ユニバーサルジョイントで接続する構造とし、回転軸には傾斜カムを組み合わせると共にスプール軸にスプールを組み合わせ、前記の傾斜カムには傾斜カム軸歯車を設け、傾斜カム軸歯車にはハンドル軸に設けた歯車を噛合させている。回転軸の回転によりスプールが回転し、同時に前記傾斜カムを回転しつつスプールは首を振って道糸を巻き取るスピニング首振り巻き取り方法である。
【０００７】
本発明の装置は、ハンドル軸に設けた歯車に噛合して回転する回転軸歯車を回転軸の後端に設け、該回転軸の先端とスプール軸の後端をスラスト式ユニバーサルジョイントで接続する構造とし、回転軸には傾斜カムを組み合わせると共にスラスト式ユニバーサルジョイントを介して接続したスプール軸にはスプールを組み合わせ、前記の傾斜カムには傾斜カム軸歯車を設け、傾斜カム軸歯車にはハンドル軸に設けた歯車を噛合させて前記傾斜カムを回転しつつ、その傾斜部にスラスト式ユニバーサルジョイントを当接して回転することによりスプールは首を振って道糸を巻き取るスピニング首振り巻き取り装置である。
【０００８】回転軸に設けた回転軸歯車に噛合して回転軸を回転する外歯と傾斜カムに設けた傾斜カム軸歯車に噛合して傾斜カムを回転する内歯を有する歯車をハンドル軸に設け、回転軸に設けた傾斜カムの回転によりスプールの首を振りながら回転すると共に回転軸の先端部にはスラスト式ユニバーサルジョイントを介して接続されているスプール軸にスプールを組み合わせたことを特徴とする。
【０００９】
請求項１に記載の発明は、ハンドル軸の回転力を歯車を介して回転軸及び回転軸に設けた傾斜カムに伝達し、回転軸の先端とスプール軸の後端をスラスト式ユニバーサルジョイントで接続し、傾斜カムの軸孔に回転軸を嵌め合わせると共に前記スラスト式ユニバーサルジョイントを介して接続したスプール軸にスプールを組み合わせ、前記傾斜カムの傾斜部にスラスト式ユニバーサルジョイントの後端部を接して傾斜カムも回転し、スプールの回転によりスプールは首を振って道糸を巻き取ることを特徴とするスピニング首振り巻き取り方法である。
【００１０】
請求項２に記載の発明は、ハンドル軸の回転力を歯車を介して回転軸及び回転軸に設けた傾斜カムに伝達し、該回転軸の先端とスプール軸の後端をスラスト式ユニバーサルジョイントで接続し、前記傾斜カムの軸孔に回転軸を嵌め合わせると共に前記スラスト式ユニバーサルジョイントを介して接続したスプール軸にスプールを組み合わせ、前記の傾斜カムに傾斜部を設け、傾斜部にスラスト式ユニバーサルジョイントの後端部を接してスプールの回転により傾斜カムも回転し、スプールは首を振って道糸を巻き取ることを特徴とするスピニング首振り巻き取り装置である。
【００１１】
請求項３に記載の発明は、請求項２に記載の発明のハンドル軸に設ける歯車についての実施態様に係るものであり、ハンドル軸には回転軸歯車に噛合して回転軸を回転する外歯と傾斜カム軸歯車に噛合して傾斜カムを回転する内歯を設け、外歯に噛合する回転軸歯車を回転軸に設け、該回転軸の先端とスプール軸の後端をスラスト式ユニバーサルジョイントで接続し、前記傾斜カムの軸孔に回転軸を嵌め合わせると共に前記スラスト式ユニバーサルジョイントを介して接続したスプール軸にスプールを組み合わせ、前記の傾斜カムに傾斜部を設け、傾斜カムに設けた傾斜カム軸歯車に前記内歯を噛合させて回転する傾斜カムの傾斜部にスラスト式ユニバーサルジョイントの後端部を接してスプールの回転により傾斜カムも回転し、スプールは首を振って道糸を巻き取ることを特徴とするスピニング首振り巻き取り装置である。
【００１２】
【発明の実施の形態】
本発明の方法は、実施例の装置において次の記載のように実現されている。
【００１３】
回転軸に設けている回転軸歯車に噛合して回転軸を回転する外歯と傾斜カムに設けている傾斜カム軸歯車に噛合する内歯を有する歯車をハンドル軸に設ける。
【００１４】
ハンドル軸に内側と外側に２重の歯を備えている歯車を設け、其のうち一方の外歯に噛合してしている回転軸歯車を回転軸の後端に設け、該回転軸の後端部を軸受けに設け、同回転軸の先端とスプール軸の後端をスラスト式ユニバーサルジョイントで接続し、前記スプール軸に組み合わせたスプールを回転する構造とする。
【００１５】
もう一方の内歯に噛合しているエキセンカム軸歯車を傾斜カムの後端に設け、傾斜カムの軸孔には前記回転軸を嵌め合わせて軸受に設けてある。この傾斜カムの先端部に設ける傾斜部を前記スラスト式ユニバーサルジョイントの後端部に当接してある。
【００１６】回転軸に設けた前記傾斜カムは、スプールを首振りさせる適宜な傾斜部を設け、この傾斜部をスラスト式ユニバーサルジョイントの後端部に当接さして傾斜カムを回転させるようにする。前記内歯に噛合している傾斜カム軸歯車を介して傾斜カムが回転して、傾斜部を有する傾斜カムの回転によりスラスト式ユニバーサルジョイントで回転軸に接続したスプール軸のスプールに首振り運動をさせる構造にする。
【００１７】
【実施例】
添付図面は、本発明に係るスピニング首振り巻き取り方法及び装置の１実施例について図示している。図１は、リールの内部構造を示す平面図、図２は、傾斜部を有する傾斜カムによりスプールの首を上に振り道糸を巻き取るリールの機能を示す側面図、図３は、スプールの首を横に振り道糸を巻き取るリールの機能を示す側面図、図４は、スプールの首を下に振り道糸を巻き取るリールの機能を示す側面図をそれぞれ示すものである。図面に基づいて本発明の実施例について説明する。
【００１８】
実施例
ハンドル１のハンドル軸に設けた歯車には外歯８と内歯９を有する構造とし、一方の外歯８に噛合してしている回転軸歯車１０を回転軸２の後端に設け、該回転軸２の先端とスプール軸３の後端をスラスト式ユニバーサルジョイント７で接続し、前記スプール軸３に組み合わせたスプール４を回転する構造である。
【００１９】
もう一方の内歯９に噛合している傾斜カム軸歯車１１を傾斜カム１２の後端に設け、傾斜カム１２の軸孔には前記回転軸２を通してある。
【００２０】
前記の傾斜カムの先端部にはスプールを首振りさせる適宜な傾斜部を設ける。前記内歯９に噛合している傾斜カム軸歯車１１を介して傾斜カム１２が回転して、この傾斜カム１２の傾斜部１４にスラスト式ユニバーサルジョイントの後端部を当接し、このスラスト式ユニバーサルジョイント７を介して接続したスプール軸３に組み合わせたスプール４に首振り運動をさせ道糸を巻き取る構造にしている。
【００２１】
ハンドル１のハンドル軸には内側と外側に２重の歯を有する歯車を設けている。これは、回転軸２に設けた回転軸歯車１０に噛合して回転軸を回転させる外歯８と傾斜カム軸歯車１１に噛合して傾斜カム１２を回転させる内歯９を備える歯車である。
【００２２】
回転軸２の後端部には軸受１５を設け、該回転軸にはハンドル軸に設けた外歯８に噛合する回転軸歯車１０を設け、軸受１６に設けたエキセンカムの軸孔に通して、該傾斜カムの後端部に内歯９に噛合する傾斜カム軸歯車１１を設けている。
【００２３】
傾斜カム１２にはその先端に傾斜部１４を設けて、この傾斜部１４はスラスト式ユニバーサルジョイント７の後端部に当接して回転し、スラスト式ユニバーサルジョイント７にはボール１３が介在してあり摩擦抵抗を減じ、スプールの回転により傾斜カムも回転してスプールは滑らかに首を振る事が出来るようにしている。
【００２４】
本発明の実施例における作用を説明すれば、ハンドル１を回せば、外歯８は回転軸歯車１０に噛合して回転するので、回転軸に回転を与え、スラスト式ユニバーサルジョイント７を介して回転軸２に接続しているスプール軸３を回転する。
【００２５】
ハンドル１を回せば、内歯９は傾斜カム１２に設けた傾斜カム軸歯車１１に噛合しているので傾斜カムを回転する。この傾斜カム１２には先端に傾斜部１４を設けて傾斜部はスラスト式ユニバーサルジョイント７の後端部に当接してあるので、スプールの回転により傾斜カムも回転し、スプール４は回転しながら首を振って道糸ガイド６から出ている道糸をスプールの法面５にも平均に巻き取ることが出来る。
【００２６】
スプール４には、内側法面５の傾斜を適宜な角度に設け、スプールに巻かれた道糸の放出が容易になるようにしている。
【００２７】
【発明の効果】
本発明の効果は、請求項１乃至請求項３の各鋼に記載の構成により、次ぎに記載の効果を奏するものである。
【００２８】
請求項１に記載の方法は、実施例において００２５の項に作用を記載したように、ハンドル軸に歯車の外歯と内歯を設けて内歯に噛み合って回転する傾斜カムを回転軸に設けてある。このため傾斜カムの傾斜部に当接したスラスト式ユニバーサルジョイントによりスプールの首を振り道糸を平均に巻き取ることが出来る。
【００２９】
請求項２に記載の装置は、請求項１に記載の方法を実施したリールにおいて、回転軸にスラスト式ユニバーサルジョイントを介してスプールの回転軸を接続し、前記の回転軸に傾斜カムを設けてあり、ハンドルを回すことにって傾斜カムの傾斜部に当接したスラスト式ユニバーサルジョイントと共にスプールも回転する事によりスプールの首を振り道糸を平均に巻き取ることが出来る。
【００３０】
請求項３に記載の装置は、回転軸歯車に噛合している外歯と傾斜カム軸歯車に噛合している内歯を有する歯車をハンドル軸に設けてあるので、該歯車を介して回転軸と傾斜カムに回転力を伝達し、回転軸に設けた傾斜カムの傾斜部に当接しているスラスト式ユニバーサルジョイントを介して接続したスプール軸に組み合わせたスプールが首を振りながら回転し、道糸を容易に巻き取る事が出来る。
【００３１】
仕掛けをポイントに投げ入れる場合には、スプールは前向きに道糸を放出することが出来るためポイントへ遠投する事が容易である。
【００３２】
本発明のスピニング首振り巻き取り方法を実施例のリールにおいて、構造が簡単で小型化を実現する事が出来る。
【００３３】
本発明の実施例装置の構成によれば、スピニングリールのような巻き取り用の枠構造を回転させる機構が要らなくなるため、その分の製造部品数が少なくなるのでリールの構造が簡単になる。
【００３４】
リールは小型化されるので製造が容易である。このために、安価に製品を提供することが出来る。
【図面の簡単な説明】
【図１】リールの内部構造を示す平面図
【図２】首振り巻き取り機能を示す側面図
【図３】首振り巻き取り機能を示す側面図
【図４】首振り巻き取り機能を示す側面図
【符号の説明】
１．．．ハンドル
２．．．回転軸
３．．．スプール軸
４．．．スプール
５．．．スプールの法面
６．．．道糸ガイド
７．．．スラスト式ユニバーサルジョイント
８．．．歯車の外歯
９．．．歯車の内歯
１０．．．回転軸歯車
１１．．．傾斜カム軸歯車
１２．．．傾斜カム
１３．．．ボール
１４．．．傾斜部
１５，１６．．．軸受
【図１】
0003611481.tif 000002
【図２】
0003611481.tif 000003
【図３】
0003611481.tif 000004
【図４】
0003611481.tif 000005